(57)【特許請求の範囲】
【請求項１】
ヒトまたは歩行できる動物に取り付けられ、視覚的な広告情報を表示する表示部と、
前記ヒトまたは歩行できる動物に取り付けられて、前記ヒトまたは歩行できる動物の位置情報を取得する位置情報取得部と、
前記ヒトまたは歩行できる動物に取り付けられて、前記ヒトまたは歩行できる動物の歩行情報を検出する歩行情報検出部と、
ネットワークを介して、前記表示部、前記位置情報取得部および前記歩行情報検出部と接続された広告情報サーバと、を具備する広告システムであって、
前記広告情報サーバは、
前記広告情報を格納する広告情報データベースと、
少なくとも前記位置情報取得部から送信された前記位置情報に基づいて、前記広告情報データベースから前記広告情報を抽出して、前記表示部に当該広告情報を送信する広告情報抽出手段と、
前記位置情報取得部から送信された位置情報および前記歩行情報検出部から送信された歩行情報に基づいて、前記ヒトまたは前記歩行できる動物の管理者に支払う対価を算出する対価算出手段と、
第１領域情報および第１領域内を歩行したときの第１領域対価情報が格納された領域対価データベースと、を有し、
前記対価算出手段は、前記位置情報取得部から送信された位置情報、前記歩行情報検出部から送信された歩行情報、前記第１領域情報および前記第１領域対価情報に基づいて、前記ヒトまたは前記歩行できる動物の管理者に支払う対価を算出する、
ことを特徴とする広告システム。
【請求項２】
ヒトまたは歩行できる動物に取り付けられ、視覚的な広告情報を表示する表示部と、
前記ヒトまたは歩行できる動物に取り付けられて、前記ヒトまたは歩行できる動物の位置情報を取得する位置情報取得部と、
前記ヒトまたは歩行できる動物に取り付けられて、前記ヒトまたは歩行できる動物の歩行情報を検出する歩行情報検出部と、
ネットワークを介して、前記表示部、前記位置情報取得部および前記歩行情報検出部と接続された広告情報サーバと、を具備する広告システムであって、
前記広告情報サーバは、
前記広告情報を格納する広告情報データベースと、
少なくとも前記位置情報取得部から送信された前記位置情報に基づいて、前記広告情報データベースから前記広告情報を抽出して、前記表示部に当該広告情報を送信する広告情報抽出手段と、
前記位置情報取得部から送信された位置情報および前記歩行情報検出部から送信された歩行情報に基づいて、前記ヒトまたは前記歩行できる動物の管理者に支払う対価を算出する対価算出手段と、を有し、
前記広告情報データベースは、第２領域情報および第２領域内において表示される第２領域広告情報を格納し、
前記広告情報抽出手段は、前記位置情報取得部から送信された前記位置情報および前記第２領域情報に基づいて、前記広告情報データベースから前記第２領域広告情報を抽出して、前記表示部に当該第２領域広告情報を送信する、
ことを特徴とする広告システム。
【請求項３】
前記広告情報データベースは、第２領域情報および第２領域内において表示される第２領域広告情報を格納し、
前記広告情報抽出手段は、前記位置情報取得部から送信された前記位置情報および前記第２領域情報に基づいて、前記広告情報データベースから第２領域広告情報を抽出して、前記表示部に当該第２領域広告情報を送信する、
ことを特徴とする請求項１に記載の広告システム。
【請求項４】
前記位置情報には、当該位置における時刻情報が含まれ、
前記広告情報データベースは、第２領域情報、当該第２領域内において表示される広告情報および当該広告情報が表示される広告時間情報を格納し、
前記広告情報抽出手段は、前記位置情報取得部から送信された前記位置情報、前記第２領域情報および前記広告時間情報に基づいて、前記広告情報データベースから前記広告情報を抽出して、前記表示部に当該広告情報を送信する、
ことを特徴とする請求項２または３に記載の広告システム。
【請求項５】
前記広告情報データベースは、前記広告情報と、前記広告情報に関連付けられたヒトまたは歩行できる動物に関する属性データとを有し、
前記広告情報抽出手段は、位置情報、予め入力された前記ヒトまたは歩行できる動物の属性および前記属性データに基づいて、前記広告情報データベースから前記広告情報を抽出して、前記表示部に当該広告情報を送信する、
ことを特徴とする請求項１〜４の何れか１項に記載の広告システム。
【発明の詳細な説明】
【技術分野】
【０００１】
本発明は、ヒトや歩行できる動物に取り付けられた広告用媒体に、広告情報を表示させることにより広告を行うと共に、そのヒトやその動物を管理する者に対して支払う対価を算出することができる広告システムに関する。
【背景技術】
【０００２】
従来から、広告用媒体として様々なものが用いられてきた。チラシやテレビ等も広告用媒体の１つである。そして、これらの広告用媒体の中には、いわゆる宣伝カー等のように広告媒体自体が移動するものがある。
【０００３】
例えば、特許文献１には、物理空間上を移動する移動物体を視覚的な広告情報の発信源として用いて、前記移動物体の近傍に居る不特定の複数人の通行人に対して広告を行う広告システムであって、前記移動物体に、前記広告情報を視覚的に表示する広告表示装置と、発信機とが搭載され、当該広告システムは、各通行人の携帯端末と通信可能な管理サーバを含み、各通行人の携帯端末に、前記移動物体の前記発信機から受信した信号に基づき、当該携帯端末と前記発信機との距離を測定し、その測定された距離が所定範囲内に入ると、当該携帯端末が前記移動物体を捕捉したことを検出する検出部と、その捕捉の事実を表すデータを前記管理サーバに送信する送信部とが搭載され、前記管理サーバは、前記捕捉の事実を表すデータを受信すると、前記移動物体を捕捉した携帯端末の通行人に付与すべき特典を決定し、その決定された特典を表すデータを、前記移動物体を捕捉した携帯端末に送信する広告システムが記載され、物理空間上を移動する移動物体を視覚的な広告情報の発信源として用いることが開示されている。
【先行技術文献】
【特許文献】
【０００４】
【特許文献１】特開２０１９−８２７０６号公報
【発明の概要】
【発明が解決しようとする課題】
【０００５】
しかしながら、上述したような従来技術では、宣伝カー等の移動体の移動速度によっては、広告を見せたい者（ターゲット）との相対速度が速いため、ターゲットに広告を見せ難くなってしまうという問題点や、一般公道等を走行するため、ターゲットを絞り難いという問題点があった。
【０００６】
また、上述したような従来技術では、広告内容を一度決定するとその内容を変更し難いので、広告場所、時間や周囲の環境等の状況に応じた広告をし難いという問題点があった。
【０００７】
さらに、上述したような従来技術では、広告対価が高額となることが多いという問題点や、広告対価について柔軟な設定をすることができないという問題点があった。
【０００８】
本発明は上述した事情に鑑み、ターゲットを絞った広告をすることができると共に、状況に応じて、適切な広告を行うことができ、かつ柔軟な広告対価を設定することができる広告システムを提供することを目的とする。
【課題を解決するための手段】
【０００９】
本発明の発明者は、上述した問題点に関して鋭意研究・開発を続けた結果、以下のような画期的な広告システムを見出した。
【００１０】
上記課題を解決するための本発明の第１の態様はヒトまたは歩行できる動物に取り付けられ、視覚的な広告情報を表示する表示部と、ヒトまたは歩行できる動物に取り付けられて、ヒトまたは歩行できる動物の位置情報を取得する位置情報取得部と、ヒトまたは歩行できる動物に取り付けられて、ヒトまたは歩行できる動物の歩行情報を検出する歩行情報検出部と、ネットワークを介して、表示部、位置情報取得部および歩行情報検出部と接続された広告情報サーバと、を具備する広告システムであって、広告情報サーバは、広告情報を格納する広告情報データベースと、少なくとも位置情報取得部から送信された位置情報に基づいて、広告情報データベースから広告情報を抽出して、表示部に広告情報を送信する広告情報抽出手段と、位置情報取得部から送信された位置情報および歩行情報検出部から送信された歩行情報に基づいて、ヒトまたは歩行できる動物の管理者に支払う対価を算出する対価算出手段と、を有することを特徴とする広告システムにある。
【００１１】
ここで、「歩行できる動物」とは、歩行できる動物であれば特に限定されず、例えば犬、猫、馬、牛、亀、サル等が挙げられる。
【００１２】
また、「取り付け」とは、ヒトや歩行できる動物が歩行する振動等が直接的または間接的に伝わるような形態であれば特に限定されず、治具等を用いてヒトや歩行できる動物に直接取り付けたり、引っ掛けたりすることだけでなく、例えばヒトや歩行できる動物に把持されることや、ヒトや歩行できる動物に引っ掛けられた物体に取り付けられること（間接的に取り付けられること）等を含む概念である。
【００１３】
かかる第１の態様では、ターゲットを絞った広告をすることができると共に、状況に応じた広告を行うことができ、かつ柔軟な広告対価を設定することができる広告システムを提供できる。
【００１４】
本発明に係る第２の態様は、広告情報サーバは、第１領域情報および第１領域内を歩行したときの第１領域対価情報が格納された領域対価データベースをさらに有し、対価算出手段は、位置情報取得部から送信された位置情報、歩行情報検出部から送信された歩行情報、第１領域情報および第１領域対価情報に基づいて、ヒトまたは歩行できる動物の管理者に支払う対価を算出する、ことを特徴とする第１の態様に記載の広告ステムにある。
【００１５】
かかる第２の態様では、第１領域ごとに領域対価を設定することができるので、より柔軟な広告対価を設定することができる。
【００１６】
本発明に係る第３の態様は、広告情報データベースは、第２領域情報および第２領域内において表示される第２領域広告情報を格納し、広告情報抽出手段は、位置情報取得部から送信された位置情報および第２領域情報に基づいて、広告情報データベースから第２領域広告情報を抽出して、表示部に広告情報を送信する、ことを特徴とする第１または第２の態様に記載の広告システムにある。
【００１７】
かかる第３の態様では、第２領域ごとに表示部に表示する広告情報を設定することができるので、状況に応じて、より適切な広告を行うことができる。
【００１８】
本発明に係る第４の態様は、位置情報には、位置における時刻情報が含まれ、広告情報データベースは、第２所定の領域情報、第２所定の領域内において表示される広告情報および広告情報が表示される広告時間情報を格納し、広告情報抽出手段は、位置情報取得部から送信された位置情報、第２所定の領域情報および広告時間情報に基づいて、広告情報データベースから広告情報を抽出して、表示部に広告情報を送信する、ことを特徴とする請求項３に記載の広告システムにある。
【００１９】
かかる第４の態様では、時刻情報３１２Ｃに応じて表示部に表示させる広告情報を設定することができるので、状況に応じて、より適切な広告を行うことができる。
【００２０】
本発明に係る第５の態様は、広告情報データベースは、広告情報と、広告情報に関連付けられたヒトまたは歩行できる動物に関する属性データとを有し、広告情報抽出手段は、位置情報、予め入力されたヒトまたは歩行できる動物の属性および属性データに基づいて、広告情報データベースから広告情報を抽出して、表示部に広告情報を送信する、ことを特徴とする第１〜第４の態様の何れか１つに記載の広告システムにある。
【００２１】
かかる第５の態様では、広告表示端末を把持するヒト等の属性に応じて表示部に表示させる広告情報を設定することができるので、より適切な広告を行うことができる。
【図面の簡単な説明】
【００２２】
【図１】図１は実施形態１に係る広告システムの概略概念図である。
【図２】図２は実施形態１に係る広告表示端末の概略概念図である。
【図３】図３は実施形態１に係る広告情報サーバの概略概念図である。
【図４】図４は実施形態１に係る広告システムの動作フローチャートである。
【図５】図５は実施形態２に係る広告情報サーバの概略概念図である。
【図６】図６は実施形態３に係る広告情報サーバの概略概念図である。
【図７】図７は実施形態５に係る広告情報サーバの概略概念図である。
【図８】図８は実施形態６に係る広告情報サーバの概略概念図である。
【図９】図９は実施形態８に係る広告情報サーバの概略概念図である。
【発明を実施するための形態】
【００２３】
以下に添付図面を参照して、本発明に係る広告システムの実施形態を説明する。なお、本発明は、以下の実施形態に限定されるものではない。
（実施形態１）
【００２４】
図１は、本実施形態に係る広告システムの概略概念図である。この図に示すように、本実施形態に係る広告システム１は、ヒト等が把持する複数の広告表示端末１０と、ネットワーク２０を介して広告表示端末１０と接続される広告情報サーバ３０とで構成されている。
【００２５】
まず、広告表示端末１０について説明する。図２は広告表示端末１０の概略概念図である。この図に示すように、広告表示端末１０は、画像（動画を含む）や文字等の視覚的な広告情報を表示することができる表示部１１と、広告表示端末１０の位置情報、すなわち広告表示端末１０を把持するヒト等の位置情報を検出する位置情報取得部１２と、ヒト等の歩行情報を検出する歩行情報検出部１３とを有している。
【００２６】
表示部１１は、広告情報を表示できるものであれば特に限定されず、例えば液晶パネル、有機ＥＬ（エレクトロルミネッセンス）パネル等が挙げられる。
【００２７】
位置情報取得部１２は、広告表示端末１０の位置情報を取得することができるものであれば特に限定されず、ＧＰＳ（Ｇｌｏｂａｌ  Ｐｏｓｉｔｉｏｎｉｎｇ  Ｓｙｓｔｅｍ）の電波、Ｗｉ−Ｆｉの電波または携帯電話の基地局からの電波等のセンサ（これらの電波から位置情報に変換する機能を有してもよい）等が挙げられる。
【００２８】
歩行情報検出部１３は、ヒト等の歩行情報を取得することができるものであれば特に限定されない。歩行情報検出部１３としては、例えば歩数計に用いられる振り子式のセンサや加速度センサ等が挙げられる。ここで、歩行情報とは、広告表示端末１０がヒト等の歩行によって移動していることを示す情報をいい、加速度センサ等によって検出された、歩行していることを示す信号等が含まれる。
【００２９】
広告表示端末１０は、上述した表示部１１、位置情報取得部１２、歩行情報検出部１３およびネットワークに接続できる機能を有するものであれば特に限定されないが、例えばＧＰＳセンサおよび無線通信機能を備えたタブレット型端末（情報入力機能を有するもの）等が挙げられる。
【００３０】
なお、本実施形態では、広告表示端末１０が、表示部１１、位置情報取得部１２および歩行情報検出部１３を有するように構成したが、本発明はこれに限定されない。例えば、表示部１１、位置情報取得部１２および歩行情報検出部１３が、それぞれ無線通信機能を有する個別の機器内に設けられ、それらが個別にネットワーク２０に接続できるようにしてもよい。
【００３１】
次に、ネットワーク２０について説明する。ネットワーク２０は、広告表示端末１０と広告情報サーバ３０とを無線で接続することができるものであれば特に限定されず、インターネットであっても、専用ネットワークやイントラネット等であってもよい。
【００３２】
さらに、広告情報サーバ３０について説明する。図３は、広告情報サーバ３０の概略概念図である。この図に示すように、広告情報サーバ３０は、広告情報３１０が格納された広告情報データベース３１と、広告情報データベース３１から広告情報３１０を抽出する広告情報抽出手段３２と、広告表示端末１０を把持するヒト等（動物の場合には、その動物の所有者や管理者）に支払う対価を算出する対価算出手段３３とを有している。
【００３３】
ここで、広告情報３１０とは、広告表示端末１０の表示部１１に表示させる視覚的な情報であれば特に限定されず、画像（動画を含む）や文字等の情報（音声情報を含んでいてもよい）をいう。
【００３４】
広告情報データベース３１は、広告情報３１０を格納することができるものであれば特に限定されない。広告情報データベース３１としては、例えば市販のリレーショナルデータベースソフトウェア等が挙げられる。
【００３５】
広告情報抽出手段３２は、位置情報取得部１２から送信された位置情報に基づいて、広告情報データベース３１から広告情報３１０を抽出することができるものであれば特に限定されない。広告情報抽出手段３２としては、具体的には、例えば抽出条件として、所定の領域内で表示する広告情報を予め設定しておき、位置情報取得部１２から送信された位置情報がその所定の領域に含まれる場合には、その広告情報を抽出するというプログラム等が挙げられる。なお、表示部１１に表示される広告情報３１０は、広告情報抽出手段３２の抽出条件を変更することにより、リアルタイムで変更することができる。ここで、抽出条件とは、広告情報抽出手段３２が広告情報データベース３１から広告情報３１０を抽出する際に用いる条件であって、任意に設定することができるものである。
【００３６】
対価算出手段３３は、位置情報取得部１２から送信された位置情報および歩行情報検出部１３から送信された歩行情報に基づいて、広告表示端末１０を把持するヒト等（動物の場合には、その動物の所有者や管理者等）に支払う対価を算出することができるものであれば特に限定されない。
【００３７】
対価算出手段３３としては、具体的には、例えば位置情報および歩行情報から、ヒト等が歩行した距離を算出し、その距離に単位距離当たりの単価（例えば５０円／１００ｍ等）を乗じて対価を算出するプログラム等が挙げられる。
【００３８】
ここで、対価を算出する際には、歩行情報を用いているので、ヒト等が歩行以外の方法で移動している距離（自動車等に搭乗して移動していた距離等）は対価の算出に反映されないことになる。その結果、実際にヒト等が歩行して、広告表示を行った距離に応じて、柔軟な対価を算出することができる。
【００３９】
なお、広告情報サーバ３０は、上記のような機能を有するものであれば特に限定されず、例えばパーソナルコンピューター等が挙げられる。また、広告情報サーバ３０は複数存在していてもよい。
【００４０】
次に、広告システム１の動作について説明する。図４は、広告システム１の動作を示すフローチャートである。この図に示すように、まず広告システム１が始動すると、ヒト等の初期位置情報を取得する（Ｓ１）。すると、広告情報抽出手段３２によって、広告情報データベース３１から抽出された広告情報３１０が表示部１１に送信され、その広告情報３１０が表示される（Ｓ２）。
【００４１】
ここで、表示部１１が移動する速度は、広告表示端末１０を把持するヒト等の歩行速度と等しいとなる。したがって、宣伝カー等と比較して、ターゲットに対して広告がより見やすくなる。また、ヒト等が歩行できる場所（人が集まる場所等）で、表示部１１に広告情報を表示させることができるので、ターゲットを絞った広告をすることができる。
【００４２】
その後、ヒト等が移動すると（Ｓ３）、所定のタイミング、一定時間ごとまたは所定の時刻等において、位置情報および歩行情報が取得され、それらが広告情報サーバ３０に送信される（Ｓ４）。
【００４３】
そして、移動と、位置情報および歩行情報の取得とが、広告のための移動が終了するまで繰り返される（Ｓ５）。ここで、広告のための移動は、そのヒト等が自ら決めてもよいし、所定の距離を歩行したら終了するというような終了条件予め定めておいてもよい。したがって、本実施形態に係る広告システムでは、そのヒト等が広告を行うか行わないかを自由に決めることができる。
【００４４】
そして、広告のための移動が終了すると、広告表示端末１０を把持するヒト等（動物の場合には、その動物の所有者や管理者）に支払う対価が、対価算出手段によって算出され（Ｓ６）、広告システム１が終了する。
【００４５】
以上説明したように、本実施形態に係る広告システム１によれば、ターゲットを絞った広告をすることができると共に、状況に応じた広告を行うことができ、かつ柔軟な広告対価を設定することができる広告システムを提供できる。
（実施形態２）
【００４６】
実施形態１では、対価算出手段は、位置情報および歩行情報に基づいて、対価を算出するようにしたが、本発明はこれに限定されない。
【００４７】
例えば、図５に示すような広告情報サーバ３０Ａを用いて、広告システムを構築してもよい。図５は、本実施形態に係る広告情報サーバ３０Ａの概略概念図である。この図に示すように、広告情報サーバ３０Ａは、広告情報データベース３１と、広告情報抽出手段３２と、対価算出手段３３Ａと、領域対価データベース３４を有している。
【００４８】
領域対価データベース３４は、第１領域情報３４０およびその第１領域内を歩行したときの第１領域対価情報３４１を格納している。
【００４９】
ここで、第１領域情報３４０とは、所定の基準で領域を区分した際の領域に関する情報であり、適宜設定することができるものである。第１領域情報３４０としては、例えば、日本を都道府県で区分した領域、東京都を市区町村で区分した領域、山手線の各駅または競技場等のイベント施設から半径５００ｍ内で区分した領域等が挙げられる。
【００５０】
また、第１領域対価情報３４１とは、第１領域情報３４０により特定される領域内を移動した際の単位距離当たりの単価である。各第１領域ごとに、第１領域対価情報３４１を設定することができるので、より柔軟な対価設定が可能となる。
【００５１】
対価算出手段３３Ａは、実施形態１の対価算出手段と異なり、位置情報、歩行情報、第１領域情報３４０および第１領域対価情報３４１に基づいて、ヒト等に支払う対価を算出できるものであれば、特に限定されない。対価算出手段３３Ａとしては、具体的には、例えば次のような機能を有するプログラム等が挙げられる。まず、第１領域情報３４０および位置情報から、各第１領域ごとにヒト等の歩行距離を算出する。次いで、それらに各第１領域に対応する第１領域対価情報３４１を乗じて、各第１領域ごとの各領域対価を算出する。そして、得られた各領域対価を加算することで、ヒト等に支払う対価を算出する。
【００５２】
なお、広告システムのこの他の構成要素は、実施形態１のものと同様である。
【００５３】
以上説明したように、本実施形態に係る広告システムによれば、第１領域ごとに領域対価を設定することができるので、実施形態１に係る広告システムの効果に加え、より柔軟な広告対価を設定することができる。
（実施形態３）
【００５４】
実施形態１では、上述した広告情報データベースおよび広告情報抽出手段を用いて、広告システムを構成したが、本発明はこれに限定されない。
【００５５】
例えば、図６に示すような広告情報サーバ３０Ｂを用いて、広告システムを構築してもよい。図６は、本実施形態に係る広告情報サーバ３０Ｂの概略概念図である。この図に示すように、広告情報サーバ３０Ｂは、広告情報データベース３１Ｂと、広告情報抽出手段３２Ｂと、対価算出手段３３とを有している。
【００５６】
広告情報サーバ３０Ｂは、第２領域情報３１１Ｂおよびその第２領域内を歩行したときに表示する第２領域広告情報３１０Ｂを格納している。
【００５７】
ここで、第２領域情報３１１Ｂとは、所定の基準で領域を区分した際の領域に関する情報であり、適宜設定することができるものである。第２領域情報３１１Ｂとしては、例えば、日本を都道府県で区分した領域、東京都を市区町村で区分した領域、山手線の各駅から半径５００ｍ内の領域等が挙げられる。
【００５８】
また、第２領域広告情報３１０Ｂとは、第２領域情報３１１Ｂにより特定される領域内に位置する場合に、表示部に表示される広告情報である。したがって、各第２領域ごとに、第２領域広告情報を変更することができる。その結果、広告表示端末の位置（ヒト等が移動する経路）に応じて表示部に表示される広告情報を変更することができる。
【００５９】
広告情報抽出手段３２Ｂは、実施形態１の広告情報抽出手段と異なり、位置情報および第２領域情報３１１Ｂに基づいて、広告情報データベース３１Ｂから第２領域広告情報３１０Ｂを抽出して、その第２領域広告情報３１０Ｂを表示部に送信することができるものであれば特に限定されない。
【００６０】
広告情報抽出手段３２Ｂとしては、具体的には、例えば次のような機能を有するプログラム等が挙げられる。まず、位置情報および第２領域情報３１１Ｂから広告表示端末が位置する第２領域を決定する。次いで、広告情報データベース３１Ｂから、その第２領域に対応する第２領域広告情報３１０Ｂを抽出する。そして、抽出された第２領域広告情報３１０Ｂを表示部に送信する。
【００６１】
なお、広告システムのこの他の構成要素は、実施形態１のものと同様である。
【００６２】
以上説明したように、本実施形態に係る広告システムによれば、第２領域ごとに表示部に表示する広告情報を設定することができるので、実施形態１に係る広告システムの効果に加え、状況に応じて、より適切な広告を行うことができる。
（実施形態４）
【００６３】
実施形態２および３では、第１領域情報または第２領域情報を用いた広告システムを説明したが、本発明はこれに限定されない。例えば、第１領域情報と第２領域情報とが同一であってもよい。
【００６４】
第１領域情報と第２領域情報とを同一にすることにより、所定の領域に表示される広告情報と所定の領域を歩行した対価とを関係づけることができるので、より柔軟で詳細な広告対価を設定することができる。
（実施形態５）
【００６５】
実施形態１では、時間に応じて表示部に表示される広告情報を制御できないような広告システムを構成したが、本発明はこれに限定されない。
【００６６】
例えば、図７に示すような広告情報サーバ３０Ｃを用いて、広告システムを構築してもよい。図７は、本実施形態に係る広告情報サーバ３０Ｃの概略概念図である。この図に示すように、広告情報サーバ３０Ｃは、広告情報データベース３１Ｃと、広告情報抽出手段３２Ｃと、対価算出手段３３とを有している。
【００６７】
広告情報データベース３１Ｃは、広告情報３１０Ｃおよびその広告情報３１０Ｃを表示部に表示させる時刻情報３１２Ｃを格納している。
【００６８】
ここで、時刻情報３１２Ｃは、その広告情報３１０Ｃを表示部に表示させる時刻に関する情報であれば特に限定されない。時刻情報３１２Ｃとしては、例えば、対応する広告情報３１０Ｃを表示させる時刻でもよいし、広告情報３１０Ｃを表示させる時間帯等の情報等が挙げられる。
【００６９】
広告情報抽出手段３２Ｃは、実施形態１の広告情報抽出手段と異なり、位置情報および時刻情報３１２Ｃに基づいて、広告情報データベース３１Ｃから広告情報３１０Ｃを抽出して、その広告情報３１０Ｃを表示部に送信することができるものであれば特に限定されない。
【００７０】
広告情報抽出手段３２Ｃとしては、具体的には、例えば次のような機能を有するプログラム等が挙げられる。まず、所定の領域内で表示する広告情報を予め複数設定しておく。次いで、位置情報取得部１２から送信された位置情報がその所定の領域に含まれる場合には、予め複数設定された広告情報のうち、時刻情報３１２Ｃに対応する広告情報３１０Ｃを広告情報データベース３１Ｃから抽出する。そして、抽出された広告情報３１０Ｃを表示部に送信する。
【００７１】
なお、広告システムのこの他の構成要素は、実施形態１のものと同様である。
【００７２】
以上説明したように、本実施形態に係る広告システムによれば、時刻情報３１２Ｃに応じて表示部に表示させる広告情報３１０Ｃを設定することができるので、実施形態１に係る広告システムの効果に加え、状況に応じて、より適切な広告を行うことができる。
（実施形態６）
【００７３】
実施形態１では、広告表示端末を把持するヒト等に関する情報（属性）を活用していないが、本発明はこれに限定されない。
【００７４】
例えば、図８に示すような広告情報サーバ３０Ｄを用いて、広告システムを構築してもよい。図８は、本実施形態に係る広告情報サーバ３０Ｄの概略概念図である。この図に示すように、広告情報サーバ３０Ｄは、広告情報データベース３１Ｄと、広告情報抽出手段３２Ｄと、対価算出手段３３とを有している。
【００７５】
広告情報サーバ３０Ｄは、広告情報３１０Ｄおよびその広告情報３１０Ｄがターゲットとする広告属性情報３１３Ｄを格納している。
【００７６】
ここで、広告属性情報３１３Ｄは、対応する広告情報３１０Ｄのターゲットに関する情報であれば特に限定されない。広告属性情報３１３Ｄとしては、具体的には、例えば性別、年齢、趣味、身長（体高）、体重、動物の種類・品種等が挙げられる。
【００７７】
広告情報抽出手段３２Ｄは、実施形態１の広告情報抽出手段と異なり、位置情報および広告属性情報３１３Ｄに基づいて、広告情報データベース３１Ｄから広告情報３１０Ｄを抽出して、その広告情報３１０Ｄを表示部に送信することができるものであれば特に限定されない。
【００７８】
広告情報抽出手段３２Ｄとしては、具体的には、例えば次のような機能を有するプログラム等が挙げられる。まず、所定の領域内で表示する広告情報を予め複数設定しておく。次いで、位置情報取得部から送信された位置情報がその所定の領域に含まれる場合には、予め複数設定された広告情報のうち、広告情報３１０Ｄを把持するヒト等の属性に一致する広告属性情報３１３Ｄに対応する広告情報３１０Ｄを広告情報データベース３１Ｄから抽出する。そして、抽出された広告情報３１０Ｄを表示部に送信する。
【００７９】
ここで、広告情報３１０Ｄを把持する人等の属性については、予め広告情報サーバ３０Ｄに入力しておいてもよいし、広告表示端末から適宜入力できるようにしてもよい。
【００８０】
なお、広告システムのこの他の構成要素は、実施形態１のものと同様である。
【００８１】
以上説明したように、本実施形態に係る広告システムによれば、広告表示端末を把持するヒト等の属性に応じて表示部に表示させる広告情報を設定することができるので、実施形態１に係る広告システムの効果に加え、状況に応じて、より適切な広告を行うことができる。
【００８２】
例えば、女性が広告表示端末を把持している場合には、ターゲットである女性が多く滞在する場所に行くことが多い。すると、属性を「女性」とする広告情報３１０Ｄが表示部に表示され、女性の目に触れる機会が増えることになる。その結果、ターゲットに向けてより適切な広告を行うことができる。
（実施形態７）
【００８３】
上述した実施形態では、広告情報抽出手段によって抽出される広告情報が１つしかないことを前提として説明したが、本発明はこれに限定されない。例えば、広告情報抽出手段によって抽出される広告情報が複数存在する場合には、広告情報抽出手段がそれらの中から所定の条件（規則）にしたがって優先的に広告情報を抽出する優先抽出機能を備えるようにしてもよい。
【００８４】
優先抽出機能は、所定の条件（規則）に従って、複数の広告情報から優先的に抽出すべき広告情報を抽出する機能を有するものであれば特に限定されない。優先抽出機能としては、例えば、広告情報の広告主が支払う費用の額が高くなるにつれて所定の割合でその広告情報が抽出されやすくするもの等が挙げられる。
【００８５】
このように、広告情報抽出手段が優先抽出機能を有することによって、複数の広告情報が抽出される場合であっても、適切に広告情報を抽出することができる。その結果、抽出条件を検討することなく、より多くの広告情報を広告情報データベースに登録することができる。
（実施形態８）
【００８６】
実施形態１〜７の広告システムは、それ自体でも従来にない効果を有するが、これらを組み合わせた広告システムを構成することもできる。
【００８７】
例えば、図９に示すような広告情報サーバ３０Ｅを用いて、広告システムを構築してもよい。図９は、本実施形態に係る広告情報サーバ３０Ｅの概略概念図である。この図に示すように、広告情報サーバ３０Ｅは、広告情報データベース３１Ｅと、広告情報抽出手段３２Ｅと、対価算出手段３３Ｅと、領域対価データベース３４を有している。
【００８８】
広告情報データベース３１Ｅは、第２領域情報３１１Ｅおよびその第２領域内を歩行したときに表示する第２領域広告情報３１０Ｅ、時刻情報３１２Ｅおよび広告属性情報３１３Ｅを格納している。ここで、第２領域広告情報３１０Ｅ、第２領域情報３１１Ｅ、時刻情報３１２Ｅおよび広告属性情報３１３Ｅは、上述した実施形態のものと同じものである。
【００８９】
広告情報抽出手段３２Ｅは、位置情報、第２領域情報３１１Ｅ、時刻情報３１２Ｅおよび広告属性情報３１３Ｅに基づいて、広告情報データベース３１Ｅから第２領域広告情報３１０Ｅを抽出できるものであれば特に限定されない。
【００９０】
広告情報抽出手段３２Ｅとしては、具体的には、例えば次のような機能を有するプログラム等が挙げられる。まず、位置情報および第２領域情報３１１Ｅから広告表示端末が位置する第２領域を決定する。次いで、上述した実施形態と同様に、時刻情報３１２Ｅおよび広告属性情報３１３Ｅに基づいて、広告情報データベース３１Ｅから第２領域広告情報３１０Ｅを抽出する。そして、その第２領域広告情報３１０Ｅを表示部に送信する。
【００９１】
領域対価データベース３４Ｅは、第１領域情報３４０Ｅおよびその第１領域内を歩行したときの第１領域対価情報３４１Ｅを格納している。ここで、第１領域情報３４０Ｅおよび第１領域対価情報３４１Ｅとは、上述した実施形態と同様のものである。
【００９２】
対価算出手段３３Ｅは、上述した実施形態のものと同様に、位置情報、歩行情報、第１領域情報および第１領域対価情報に基づいて、ヒト等に支払う対価を算出できるものであれば、特に限定されない。
【００９３】
ここで、領域対価データベース３４Ｅに、第１領域対価情報３４１Ｅが適用される時間に関する対価時刻情報をさらに格納しておき、対価算出手段３３Ｅが、第１領域情報３４０Ｅだけでなく、ヒト等が歩行する時間をも考慮した第１領域対価情報３４１Ｅを抽出するようにしてもよい。このように広告システムを構成することで、ヒト等が歩行する領域だけでなく、時間をも考慮した対価を設定することができる。
【００９４】
なお、広告システムのこの他の構成要素は、実施形態１のものと同様である。
【００９５】
以上説明したように、本実施形態に係る広告システムによれば、よりターゲットを絞った広告を行うことができると共に、状況に応じて、より適切な広告を行うことができ、かつより柔軟な広告対価を設定することができる広告システムを提供できる。
（他の態様）
【００９６】
上述した実施形態では、表示部に表示させる広告情報について制限しなかったが、広告情報サーバに不適切な広告情報を削除できるフィルター部を設け、広告情報データベースに広告情報を格納する前に、不適切な広告情報を格納させないようにしてもよい。
【００９７】
また、広告表示端末に、対価算出手段から算出された対価情報を表示できる対価表示部を設けてもよい。対価表示部は、対価情報を表示できるものであれば特に限定されず、表示部であってもよい。対価表示部としては、例えば液晶パネル、有機ＥＬ（エレクトロルミネッセンス）パネル等が挙げられる。
【００９８】
対価表示部を設け、対価情報を表示させることにより、ヒト等が対価を確認することができ、かつヒト等の歩行のモチベーションを向上させることができる。
【符号の説明】
【００９９】
１    広告システム
１０  広告表示端末
１１  表示部
１２  位置情報取得部
１３  歩行情報検出部
２０  ネットワーク
３０、３０Ａ、３０Ｂ、３０Ｃ、３０Ｄ、３０Ｅ  広告情報サーバ
３１、３１Ｂ、３１Ｃ、３１Ｄ、３１Ｅ  広告情報データベース
３２、３２Ｂ、３２Ｃ、３２Ｄ、３２Ｅ  広告情報抽出手段
３３、３３Ａ、３３Ｅ  対価算出手段
３４、３４Ｅ  領域対価データベース
３１０、３１０Ｃ  広告情報
３１０Ｂ、３１０Ｅ  領域広告情報
３１１Ｂ、３１１Ｅ  第１領域情報
３１２Ｃ、３１２Ｅ  時刻情報
３１３Ｄ、３１３Ｅ  広告属性情報
３４０、３４０Ｅ  第２領域情報
３４１、３４１Ｅ  領域対価情報
【図１】
0006936462.tif 000002
【図２】
0006936462.tif 000003
【図３】
0006936462.tif 000004
【図４】
0006936462.tif 000005
【図５】
0006936462.tif 000006
【図６】
0006936462.tif 000007
【図７】
0006936462.tif 000008
【図８】
0006936462.tif 000009
【図９】
0006936462.tif 000010